(57)【特許請求の範囲】
【請求項１】
収容物を内側に収容した複数の突出部と前記突出部の周囲に設けられたフランジ部を有するプラスチック成形体に、破断可能な薄形シートが貼り付けられ、前記突出部の開口部が閉鎖されたＰＴＰシートが、一枚の台紙に取り付けられて成る包装体であって、
前記台紙には、前記ＰＴＰシートの前記薄形シート側の面に取り付けられる第１側面と、前記ＰＴＰシートの前記プラスチック成形体側の面に取り付けられ前記第１側面に重ねられ前記ＰＴＰシートを前記第１側面とで挟んで保持する第２側面が設けられ、
前記第１側面と前記第２側面には互いに重ねられた時に互いに一致する折罫線が各々設けられ、
前記第１側面には、前記折罫線の途中に設けられ前記折罫線から側方に突出して中央部分で折り返されて再び前記折罫線に達する切断線と、前記切断線の内側で前記第２側面に重ねられる面に設けられた接着剤とを備え、
前記第２側面には、前記第１側面に重ねられたときに前記切断線の内側に対向する位置に形成され前記ＰＴＰシートの前記プラスチック成形体の前記突出部が嵌合される透孔が設けられ、
前記包装体を開封するときは、前記第１側面と前記第２側面に設けられ互いに一致する前記各折罫線を前記第１側面が凸となるように折り曲げ、前記切断線の一対の側縁部を分離させて開口部を形成し、前記切断線の内側は前記折罫線を基端部として前記開口部の上を傾斜して覆う抑え片となり、前記抑え片の前記第２側面に重ねられていた面には前記接着剤により前記ＰＴＰシートの前記薄形シートが接着され、前記ＰＴＰシートから引き離されて前記薄形シートの前記突出部に対向する部分が破断され、前記収容物が取り出されることを特徴とする包装体。
【請求項２】
前記第１側面の前記切断線は、前記折罫線から側方に突出して先端が湾曲するＵ字形に設けられている請求項１記載の包装体。
【請求項３】
前記切断線の両方の端部には、前記切断線の突出方向と反対側に湾曲して突出する大きい半径の円弧形の円弧状折罫線が設けられ、前記円弧状折罫線と前記切断線は環状に連結されている請求項２記載の包装体。
【請求項４】
前記第２側面の前記透孔は、前記第１側面の前記切断線の内側に入る大きさの円形で設けられ、前記透孔の周縁部には、前記包装体を開封するため前記折罫線を前記第１側面が凸となるように折り曲げた時に前記ＰＴＰシートの前記突出部が当接する部分に、切欠部が設けられている請求項１記載の包装体。
【発明の詳細な説明】
【技術分野】
【０００１】
この発明は、ＰＴＰシートに台紙を取り付けて包装した包装体に関する。
【背景技術】
【０００２】
従来、錠剤やカプセル等の薬剤を収容物とする包装技術としてＰＴＰシートがある。ＰＴＰシートは、合成樹脂で作られたプラスチック成形体を有し、プラスチック成形体には、薬剤を収容する突出部と、突出部の周縁部に形成されたフランジ部が一体に成形されている。フランジ部の、突出部と反対側の面にアルミ箔などの破断可能な薄形シートが貼り付けられて突出部が閉鎖され、薬剤を密閉している。また、ＰＴＰシートに紙製等の台紙を取付けて、取り扱いを容易にするとともに台紙に薬剤についての情報を印刷して多くの情報を消費者に伝えるものがある。
【０００３】
例えば、特許文献１に開示されている包装体は、ＰＴＰシートに取り付けられる台紙が設けられ、台紙には、ＰＴＰシートのプラスチック成形体の面に重ねられる第一側面が設けられ、第一側面にはＰＴＰシートの突出部が挿通される複数個の孔部が形成されている。第一側面には、ＰＴＰシートの反対側の面に折り返される第二側面が折罫線を介して連続して設けられ、第二側面には、第一側面に折り重ねられた時に孔部に対向する位置に形成された押出用開口部が設けられている。第一側面には孔部どうしの間を区切る第一破断線が設けられ、第二側面には押出用開口部どうしの間を区切る第二破断線が設けられ、第一破断線と第二破断線は、折り重ね状態で互いに一致する位置に設けられている。収容物を取り出す時は、台紙から突出するＰＴＰシートの突出部を押すと、台紙の反対側の孔部から露出する薄形シートが破れて収容物が取り出される。一回分の錠剤だけを携帯する場合は、第一破断線と第二破断線を切断して隣接する不要の部分から切り離して用いるものである。
【０００４】
また、特許文献２に開示されているカード型包装容器は、付加情報が印刷される第１シートと、ＰＴＰシートの突出部が貫通可能な中空の第一窓部が形成され上端から第一窓部上部まで斜めに形成される切断線及び第一窓部下部から下端まで直線状に形成される切断線を有する第二シートと、ＰＴＰシートの突出部が貫通可能な中空の第二窓部が形成され上端から下端まで直線状に形成される切断線を有する第三シートと、付加情報が印刷され第三シートとの境界で切り離し可能な切離線を有する第四シートとを有し、第二シート及び第三シートによってＰＴＰシートを挟持することでＰＴＰを保持するものである。収容物を取り出す時は、第二シートの第一窓部から突出するＰＴＰシートの突出部を押すと、第三シートの第二窓部から露出する薄形シートが破れて収容物が取り出されるものである。収容物を取り出した後は、第二シートの切断線を切断して第一窓部を分解して、ＰＴＰシートを取り外して破棄することができる。
【先行技術文献】
【特許文献】
【０００５】
【特許文献１】特開２０１０−５１９３号公報
【特許文献２】実用新案登録第３１８１３３５号公報
【発明の概要】
【発明が解決しようとする課題】
【０００６】
上記各背景技術の場合、収容物を取り出す際はＰＴＰシートの突出部を押す作業が必要であり、力が弱い高齢者等には困難である。また、ＰＴＰシートの突出部を押して反対側から収容物を出す時にも、高齢者等は受け止めることができずに錠剤が床などに落下して、錠剤を紛失したり汚れが付いたりするおそれがある。
【０００７】
この発明は、上記背景技術の問題点に鑑みてなされたものであり、簡単な構造で、ＰＴＰシートの収容物を容易且つ確実に取り出すことができる包装体を提供することを目的とする。
【課題を解決するための手段】
【０００８】
本発明は、錠剤等の収容物を内側に収容した複数の突出部と前記突出部の周囲に設けられたフランジ部を有するプラスチック成形体に、破断可能な薄形シートが貼り付けられて前記突出部の開口部が閉鎖されたＰＴＰシートが取り付けられ、一枚のブランクシートから一体的に打ち抜かれた台紙を有した包装体である。前記台紙には、前記ＰＴＰシートの前記薄形シート側の面に取り付けられる第１側面と、前記ＰＴＰシートの前記プラスチック成形体側の面に取り付けられ前記第１側面に重ねられ前記ＰＴＰシートを前記第１側面とで挟んで保持する第２側面が設けられ、前記第１側面と前記第２側面には互いに重ねられた時に互いに一致する折罫線が各々設けられ、前記第１側面には、前記折罫線の途中に設けられ前記折罫線から側方に突出して中央部分で折り返されて再び前記折罫線に達する切断線と、前記切断線の内側で前記第２側面に重ねられる面に設けられた接着剤とを備え、前記第２側面には、前記第１側面に重ねられたときに前記切断線の内側に対向する位置に形成され前記ＰＴＰシートの前記プラスチック成形体の前記突出部が嵌合される透孔が設けられている。前記包装体を開封するときは、前記第１側面と前記第２側面に設けられ互いに一致する前記各折罫線を前記第１側面が凸となるように折り曲げ、前記切断線の一対の側縁部を分離させ開口部を形成し、前記切断線の内側は前記折罫線を基端部として前記開口部の上を傾斜して覆う抑え片となり、前記抑え片の前記第２側面に重ねられていた面には前記接着剤により前記ＰＴＰシートの前記薄形シートが接着され、前記ＰＴＰシートから引き離されて前記薄形シートの前記突出部に対向する部分が破断され、前記収容物が取り出されるものである。
【０００９】
また、前記第１側面の前記切断線は、前記折罫線から略直角に側方に突出して先端が湾曲するＵ字形に設けられている。前記切断線の両方の端部には、前記切断線の突出方向と反対側に湾曲して突出する大きい半径の円弧形の円弧状折罫線が設けられ、前記円弧状折罫線と前記切断線は環状に連結されている。
【００１０】
前記第２側面の前記透孔は、前記第１側面の前記切断線の内側に入る大きさの円形で設けられ、前記透孔の周縁部には、前記包装体を開封するため前記折罫線を前記第１側面が凸となるように折り曲げた時に前記ＰＴＰシートの前記突出部が当接する部分に、切欠部が設けられている。
【発明の効果】
【００１１】
本発明の包装体は、簡単な構造で、簡単な操作によりＰＴＰシートの収容物を容易に取り出すことができる。特に、ＰＴＰシートの突出部を押さなくても薄形シートが破断して収容物を取り出すことができ、また抑え片により収容物が落下することを防ぎ、収容物を落としたり紛失したりすることがなく、高齢者等でも確実に収容物を取り出すことができるものである。
【図面の簡単な説明】
【００１２】
【図１】この発明の一実施形態の包装体の展開図である。
【図２】この実施形態の包装体の正面図である。
【図３】この実施形態の包装体の使用状態を示す斜視図である。
【発明を実施するための形態】
【００１３】
以下、この発明の実施形態について図面に基づいて説明する。図１〜図３はこの発明の一実施形態を示すもので、この実施形態の包装体１０は、紙製等の一枚のブランクシートを打ち抜いて形成された台紙１２が設けられている。ブランクシートは一定の強度を有する表紙１４と、表紙１４の裏面に塗布された接着剤１６と、接着剤１６に貼着された剥離紙１８が三層構造となっている。
【００１４】
図１は台紙１２を表紙１４の表面から見た展開図であり、台紙１２には一方向が少し長い矩形の第１側面２０が設けられ、第１側面２０のほぼ中心には、長辺側の側縁部２０ａに対して平行な折罫線２８が設けられている。折罫線２８は、第１側面２０の側縁部２０ａに対して直角の一対の側縁部２０ｂに達している。折罫線２８の中心付近には、折罫線２８から略直角に側縁部２０ａ側に突出して先端が湾曲するＵ字形の切断線２２が設けられている。切断線２２の両方の端部２２ａは、折罫線２８を少し超えて側縁部２０ａと反対側の側縁部２０ｃ側に達し、切断線２２の両方の端部２２ａには、側縁部２０ｃ側に湾曲して突出する大きい半径の円弧形の弧状折罫線２４が接続して設けられ、円弧状折罫線２４と切断線２２は環状に連結されている。切断線２２と円弧状折罫線２４によって囲まれた部分は、切断線２２の側縁部を分離して形成された後述する開口部４８の上を傾斜して覆う抑え片２６となる。折罫線２８の中心部分は、切断線２２の内側部分には設けられず途切れており、折罫線２８の途中には、折り曲げやすいように破断線が設けられている。
【００１５】
第１側面２０の側縁部２０ｃには、第１側面２０と同じ形状の第２側面３０が破断線３２で区切られて設けられている。第２側面３０は、破断線３２で第１側面２０に折り返されたときに重なる対称形状である。第２側面３０には、第１側面２０に重ねられたときに折罫線２８に一致する折罫線３８が設けられ、破断線３２に対して直角の一対の側縁部３０ａに達している。第１側面２０の切断線２２の内側に対向する位置には、後述するＰＴＰシート４０のプラスチック成形体４２突出部４２ａが嵌合される透孔３４が設けられている。透孔３４は、第１側面２０の切断線２２の内側に入る大きさの円形で設けられている。透孔３４の周縁部の、破断線３２に近い一部分には切欠部３６が一体に設けられ、切欠部３６は透孔３４よりも小さい直径の円形で設けられている。透孔３４は、折罫線３８の中心付近に設けられ、透孔３４の中心は折罫線３８よりも破断線３２と反対側の側縁部３０ｂ側にわずかにずれている。折罫線３８の中心部分は、透孔３４に一致し、折罫線３８の途中には、折り曲げやすいように破断線が設けられている。
【００１６】
包装体１０は、台紙１２でＰＴＰシート４０を包装したものであり、ここでＰＴＰシート４０について説明する。ＰＴＰシート４０は、プラスチック成形体４２が設けられ、プラスチック成形体４２には、錠剤４４を収容する突出部４２ａと、突出部４２ａの周縁部のフランジ部４２ｂが設けられている。ここでは、１個の突出部４２ａがフランジ部４２ｂの中心に設けられたものである。プラスチック成形体４２のフランジ部４２ｂには、突出部４２ａの突出方向と反対の面に薄いアルミ製の薄形シート４６が貼り付けられ、突出部４２ａが閉鎖されている。
【００１７】
次に、包装体１０の組立方法について説明する。ここでは、図１が台紙１２の表紙１４の表面を見たものであり、表紙１４の表面が凸になる折り方を正折り、そして接着剤１６が塗布された裏面が凸になる折り方を逆折りと称する。まず、台紙１２の剥離紙１８をはがして接着剤１６を露出させ、第２側面３０の接着剤１６が取り付けられた裏面に、ＰＴＰシート４０のプラスチック成形体４２側の面を重ねて取り付ける。このとき、透孔３４にＰＴＰシート４０の突出部４２ａを差し込む。そして、破断線３２を正折りして第１側面２０と第２側面３０を重ねて接着剤１６により互いに糊付けする。ＰＴＰシート４０は、第１側面２０と第２側面３０に挟まれて糊付けされ保持される。これで図２に示すように包装が完了する。
【００１８】
ＰＴＰシート４０から錠剤４４を取り出す時は、第１側面２０の折罫線２８を正折りする。それと同時に第２側面３０の折罫線３８が逆折りされる。この時、第２側面３０を折罫線３８で逆折りしても、ＰＴＰシート４０の突出部４２ａが透孔３４の切欠部３６に入り、支障なく折罫線２８，３８を大きく折り曲げることができる。
【００１９】
これにより、図３に示すように第１側面２０の切断線２２の一対の側縁部は分離して、切断線２２の内側の抑え片２６は第１側面２０の破断線３２側の面と面一になって外側に突出し、第１側面２０に開口部４８が形成される。抑え片２６の裏面には、接着剤１６によりＰＴＰシート４０の薄形シート４６が接着されて抑え片２６の突出とともに周囲から引き離されて破断され、開口して収容していた錠剤４４が露出する。抑え片２６は開口部４８の上方に傾斜して位置するため、錠剤４４に当接して落下しないように係止する。そして、錠剤４４を取り出す際には、抑え片２６を指で大きく開くか、抑え片２６と反対側の第１側面２０の側縁部２０ａを下にして振動を与える等して錠剤４４を落下させる。落下させるときに予め手を包装体１０の下に位置すると、確実に手の中に錠剤４４が入る。
【００２０】
この実施形態の包装体１０によれば、簡単な操作で確実にＰＴＰシート４０から錠剤４４を取り出すことができる。特に、包装体１０の折罫線２８，３８を折り曲げるだけの簡単な工程で、表紙１４と、ＰＴＰシート４０の薄形シート４６を同時に切断して開口部４８を形成することができ、また錠剤４４は抑え片２６に保持されてすぐには落下せず、落下させるときに予め手を包装体１０の下に位置すると確実に手の中に錠剤４４を入れることができる。従って、高齢等の理由により小さい錠剤４４を摘まむことが難しい人にも、錠剤４４を簡単に手で受けて服用することができる。
【００２１】
さらに、折罫線２８，３８を折り曲げる時は、ＰＴＰシート４０の突出部４２ａが突出していても切欠部３６が逃げとなり、大きい角度で折り曲げることができる。抑え片２６は、円弧状折罫線２４が設けられて第１側面２０から立ち上げやすいものであり、錠剤４４を取り出すときに指で大きく立ち上げて容易に取り出すことができる。その他、表紙１４の表面に、錠剤４４についての情報を印刷することができ、使用者に情報を伝えることができる。包装体１０は小さいため、携帯しやすくて便利である。
【００２２】
なお、この発明の包装体は、上記実施形態に限定されるものではなく、台紙の形状や透孔の位置、組立工程等、適宜変更可能である。台紙を形成するブランクシートは、表紙、接着剤、剥離紙からなる三層構造以外に、表紙のみでもよく、組立工程で表紙の裏面に糊を塗布してもよい。包装体を作るブランクシートの素材も紙以外でもよい。収容する錠剤の数は適宜変更可能であり、ＰＴＰシートの突出部の数に合わせて側面と押さえ片の透孔の数を変更して対応することができる。ＰＴＰシートの素材は、いろいろなものに対応することができる。収容される錠剤は、薬剤に限らず他の商品でもよい。
【符号の説明】
【００２３】
１０  包装体
１２  台紙
１４  表紙
１６  接着剤
１８  剥離紙
２０  第１側面
２２  切断線
２４  円弧状折罫線
２６  抑え片
２８，３８  折罫線
３０  第２側面
３２  破断線
３４  透孔
３６  切欠部
４０  ＰＴＰシート
４２  プラスチック成形体
４２ａ  突出部
４４  錠剤
４６  薄形シート
４８  開口部
【図１】
0006360734.tif 000002
【図２】
0006360734.tif 000003
【図３】
0006360734.tif 000004